【手続補正書】
【提出日】平成18年1月20日(2006.1.20)
【手続補正１】
【補正対象書類名】明細書
【補正対象項目名】００１６
【補正方法】変更
【補正の内容】
【００１６】
請求項７記載の発明は、請求項２または３記載の画像形成装置における給紙装置において、上記分離角度自動切換機構は、これを駆動する駆動手段を備えており、温度や湿度等の環境条件の変化に応じて予め設定されている上記分離部材の角度を自動的に選択して切り換えるように上記駆動手段を制御する制御手段を有することを特徴とする。
【手続補正２】
【補正対象書類名】明細書
【補正対象項目名】００４４
【補正方法】変更
【補正の内容】
【００４４】
分離パッド１，２は、用紙５６を１枚ずつに確実に分離する分離部材としての機能を有し、この実施例１では説明の簡明化を図るため、標準および特殊の２種類があるものとして説明する。また、用紙５６の種類は、従来の技術で説明したとおり、標準、更紙、薄紙、厚紙、特殊の５つに分類されているものを使用するものとする。  
各分離パッド１，２は、図２ないし図４に示すように、用紙５６に対する摩擦力を作用させる部分であるパッド１ａ，２ａと、各パッド１ａ，２ａを貼着している部分であるホルダ１ｂ，２ｂとから主に構成されている。各パッド１ａ，２ａとしては、その種類別に、用紙５６に対する摩擦係数に係る材質が互いに異なるものが用いられる。パッド１ａの種類は標準であり、これには例えば用紙５６の種類：標準紙に対応してエチレン・プロピレンゴム（ＥＰＤＭ）系やウレタン系の摩擦係数の高いもので、μ＝１．１〜１．２位のものが用いられる。一方、パッド２ａの種類は特殊であり、これには例えば用紙５６の種類：厚紙に対応してウレタン系やエチレン・プロピレンゴム（ＥＰＤＭ）系のもので、μ＝０．８〜１．０位のものが用いられる。
【手続補正３】
【補正対象書類名】明細書
【補正対象項目名】００４５
【補正方法】変更
【補正の内容】
【００４５】
各ホルダ１ｂ，２ｂは、図４（Ａ），（Ｂ）に詳しく示すように、例えばポリアセタール樹脂（ＰＯＭ）やポリアミド樹脂（ＰＡ）等の合成樹脂で一体成形されていて、その内部は肉抜きがなされている。各ホルダ１ｂ，２ｂの内部には、加圧スプリング４受け用のリブ１ｃ，２ｃが一体的に形成されている。なお、各ホルダ１ｂ，２ｂの材質は、上記のものに限らず、例えばアルミニウム等の金属を用いてダイキャストにより一体的に形成しても勿論構わない。  
各分離パッド１，２は、上記した分離部材自動切換機構により自動的に切り換え可能に設けられており、分離パッド１，２の下方には、図６に示すように、分離パッド１，２の種類を識別するための分離部材検知手段としてのパッド種類検知センサ４１がそれぞれ設けられている。これらのパッド種類検知センサ４１，４１は、反射型の光学センサからなり、例えば図５の位置にある各分離パッド１，２に対応して、ホルダ１ｂ，２ｂをスライド可能に収納しているパッドホルダガイド３，３の左側近傍にそれぞれ設けられている。各パッドホルダガイド３，３には、図５に示すように、パッド種類検知センサ４１用の窓３ａがそれぞれ開けられている。図４（Ａ）および図５において、標準の分離パッド１であるホルダ１ｂの左側面部には切欠き４２を形成し、特殊の分離パッド２であるホルダ２ｂの左側面部には切欠き４２を形成していない。したがって、パッド種類検知センサ４１は、切欠き４２がない分離パッド２ではオンし、切欠き４２がある分離パッド１ではオフすることで、後述する制御装置は分離パッド１，２の種類を判別できる。分離パッドの種類が２つ以上の場合には、切欠き４２の数を増やして区別し、パッド種類検知センサ４１の数は切欠き４２の最大数としてもよい。
【手続補正４】
【補正対象書類名】明細書
【補正対象項目名】００５２
【補正方法】変更
【補正の内容】
【００５２】
ここで、上記分離角度自動切換機構の細部の動作を説明しておく。角度可変モータ１４を駆動すると、その回転駆動力が駆動ギヤ１５、角度可変ギヤ１６へと伝達されて、角度可変部材１２は支点段付ネジ１３，１３部を中心として時計回り方向または反時計回り方向に所定の角度揺動する。これにより、例えば、図２（ｂ）において角度可変部材１２が時計回り方向に揺動変位したときには、分離パッド２（パッド２ａ）の角度が大きなる方向に可変され、これとは反対に図２（ｂ）において角度可変部材１２が反時計回り方向に揺動変位したときには、分離パッド２（パッド２ａ）の角度が小さくなる方向に可変されることとなる。そして、その可変された分離パッド２（パッド２ａ）の角度は、角度可変部材１２に形成された遮光片１２ｂと各角度検知センサ１７ａ，１７ｂ，１７ｃとが適宜選択的に係合することによって随時検知される。この実施例１では、角度可変モータ１４および３つの角度検知センサ１７ａ，１７ｂ，１７ｃを備えた角度検知センサ群１７等により、分離パッド１または２の角度を３段階的に自動的に切り換えることができる。  
なお、分離パッド１または２の角度を上記した例よりも多段階的に自動的に切り換えたいのであれば、その角度検知センサ群の角度検知センサを増加させると共に、角度可変モータ１４をそれに対応して制御すればよい。また、角度可変部材１２の揺動角度を検知する角度検知手段としては、角度検知センサ群１７に限らず、例えば角度可変モータ１４にフォトエンコーダを設けると共に、角度可変部材１２のホームポジション角度を検知する１つのホームポジション角度検知センサを設けたものであってよいし、角度可変モータ１４が開ループ制御可能なものであれば角度可変モータ１４にフォトエンコーダだけを設けたものであってもよい。
【手続補正５】
【補正対象書類名】明細書
【補正対象項目名】００５４
【補正方法】変更
【補正の内容】
【００５４】
基板２８は、ネジを介して前面板３０に固定されている。基板２８上には、ボールネジ２０の左側の軸端を回転自在に支持すると共に、これを図示しない止め輪等により用紙幅方向Ｙに移動不能に支持するネジ軸受部材２７ａと、ボールネジ２０の右側の軸端部を回転自在に支持すると共に、図示しない止め輪等により用紙幅方向Ｙに移動不能に支持するネジ軸受部材２７ｂとがネジを介して固定されている。可動部材１８は、２本の段付ネジ２４，２４を長孔１８ａに挿通し基板２８に螺合させることにより、段付ネジ２４，２４および長孔１８ａの組み合わせによって、図２（ａ）において用紙幅方向Ｙに移動可能に案内支持される。
【手続補正６】
【補正対象書類名】明細書
【補正対象項目名】００５７
【補正方法】変更
【補正の内容】
【００５７】
ここで、上記分離パッド自動切換機構の細部の動作を説明しておく。パッド切換モータ２３を駆動すると、その回転駆動力がウォーム２２、ウォームホイール２１、ボールネジ２０（例えば右ネジ）へと伝達され、次いでボールナット１９とボールネジ２０の協働作用によって、ボールネジ２０の上記右ネジの進み方向と反対の方向に可動部材１８が段付ネジ２４に案内・支持されながら、分離パッド圧切換部Ａおよび分離パッド角度切換部Ｂと共に一体となって移動する。これにより、分離パッド１または２の種類が自動的に切り換えられ、その切り換えられた分離パッド１または２の切換位置は切換検知センサ２５，２６によって適宜検知される。  
なお、分離パッドの種類を上記した例よりも多くの種類に自動的に切り換えたいのであれば、その切換検知センサをそれに対応して増加させると共に、パッド切換モータ２３をそれに対応して制御すればよい。また、可動部材１８の切換位置を検知する切換位置検知手段としては、切換検知センサ２５，２６に限らず、例えばパッド切換モータ２３にフォトエンコーダを設けると共に、可動部材１８のホームポジションを検知する１つのホームポジション検知センサを設けたものであってよいし、パッド切換モータ２３が開ループ制御可能なものであればパッド切換モータ２３にフォトエンコーダだけを設けたものであってもよい。  
本実施例１では上記分離部材自動切換機構、上記分離角度自動切換機構および上記分離圧調整機構を全て具備していたが、これに限らず、上記分離部材自動切換機構または上記分離角度自動切換機構のみを有するものであってもよく、また、これに限らず、上記分離部材自動切換機構または上記分離角度自動切換機構に上記分離圧調整機構を付加した構成のものであってもよい（請求項１、請求項２、請求項１３、請求項１４、請求項１５、請求項１６、請求項２１参照）。
【手続補正７】
【補正対象書類名】明細書
【補正対象項目名】００６１
【補正方法】変更
【補正の内容】
【００６１】
用紙５６ａを排紙台８７へ排出するに際し、ジャム防止や揃え向上を図るために、用紙５６ａを略Ｕ字形に湾曲させて排紙腰付けするための左右一対の排紙ジャンプ板９０が設けられている。排紙ジャンプ板９０の一部には、図示しない案内手段で略上下方向に案内されるラック状のスライダ９１の一端が係止されている。  
スライダ９１の近傍には、スライダ９１を略上下方向に移動させる排紙ジャンプ板角度可変モータ９３が配置されており、排紙ジャンプ板角度可変モータ９３の出力軸にはスライダ９１のラック部９１ａと噛合するピニオンギヤ９２が固定されている。排紙ジャンプ板角度可変モータ９３は、ステッピングモータからなる。スライダ９１の下端部には、スライダ９１の移動量を検知するための図１１に示す排紙ジャンプ板角度検知センサ３７が設けられている。排紙ジャンプ板角度検知センサ３７は、給紙圧位置検知センサ３６や分離圧位置検知センサ群８と同様のセンサ構成によって、スライダ９１の移動量を検知するようになっている。
【手続補正８】
【補正対象書類名】明細書
【補正対象項目名】００６４
【補正方法】変更
【補正の内容】
【００６４】
試しプリントキー１１３Ａは、１回押すと１枚通紙されて試し刷り印刷され、押し続けるとその枚数分通紙されて試し刷り印刷される機能を有する。  
液晶表示部１１４は、図示しない液晶表示装置に設けられた液晶駆動回路を介して駆動されると共に、後述する制御装置により上記液晶駆動回路を介して制御される。選択キー群１１５は、図８において左から順に、「原稿種類」に対応して原稿の文字種類を設定するための原稿種類キーが、「変倍」に対応して原稿サイズに対応して縮小または拡大等の倍率設定をするための変倍キーが、「用紙種類」に対応して用紙５６の種類（紙種）を選択設定するための用紙種類キー１１９が、位置調整に対応して用紙５６に対する前後左右の印刷画像の位置を調整するための位置調整キーがそれぞれ示されているが、図８に示す選択キー群１１５では用紙種類キー１１９以外の上記各キーを用いた操作内容を説明する必要がなく、説明の簡明化を図る上から上記各キーには符号を付していない。  
図８の液晶表示部１１４に示されているプリントモード画面は、孔版印刷装置２００に配置されている図示しない電源スイッチのオン時に表示される基本的な初期画面を表している。  
図８の液晶表示部１１４に表示されるプリントモード画面における上段部の矩形欄には、操作の状態やメッセージ内容が表示される。ここでは、「製版・プリントできます」と表示されていて、原稿画像の読み取りから排紙工程に至るまでの一連の動作・工程が起動可能状態にあることを表している。図８において、用紙種類キー１１９は、これを１回押すことにより、図８に示す画面から図９に示す画面のように、液晶表示部１１４の下段部の画面上の表示を左から順に「左矢印表示」、「右矢印表示」、「条件変更」、「設定」に切り替わるようになっている。そして、「左矢印表示」に対応して左矢印キー１１７が、「右矢印表示」に対応して右矢印キー１１８が、「条件変更」に対応して条件変更キー１２０が、「設定」に対応して設定キー１１６が選択キー群１１５としてそれぞれ割付け設定される。条件変更キー１２０は、不送りや重送等の給紙条件変更に係る機能を選択して、制御装置によって自動的に最適な給紙条件を選択・設定するものであるが、この詳細は本願発明の範囲を超えるためその説明を省略する。
用紙種類キー１１９は、用紙５６の種類を選択して設定するための用紙種類設定手段としての機能を有するものである。左矢印キー１１７は、同じく用紙種類設定手段としての一部の機能を有するものであり、液晶表示部１１４に表示された機能（ジョブ情報）等を選択するために左方向に移行させるためのものであり、右矢印キー１１８は、同じく用紙種類設定手段としての一部の機能を有するものであり、液晶表示部１１４に表示された機能（ジョブ情報）を選択するために右方向に移行させるためのものであり、スクロールキー１２３も用紙種類設定手段としての一部の機能を有するものである。  
初期設定キー１２２を１回押すと、図１０の液晶表示部１１４に示されている別の画面へ切り替わるようになっている。
【手続補正９】
【補正対象書類名】明細書
【補正対象項目名】００８３
【補正方法】変更
【補正の内容】
【００８３】
用紙種類キー１１９を押下したときには、通常、用紙５６の種類として「標準」が黒く表示されて選択されているが、それを２個の左・右矢印キー１１７、１１８またはスクロールキー１２３の移行キー１２３ｃ，１２３ａで白黒反転表示部を移動させて、設定キー１１６で確定入力する。図９の状態では、用紙５６の種類として「標準」が選択されているので、その下段部に具体的な用紙５６として「Ｅｘ，上質紙、中質紙、再生紙」が表示されている。「薄紙」が選択されている場合なら「Ｅｘ，薄紙、薄手ののし紙」と表示し、以下表１の用途例に示されているように、更紙、厚紙や特殊についても同様に表示される。
【手続補正１０】
【補正対象書類名】明細書
【補正対象項目名】００８７
【補正方法】変更
【補正の内容】
【００８７】
以下、表１の内容について補足説明する。表１において、温度は摂氏温度（℃、）であり、湿度は相対湿度（ＲＨ％）である。温・湿度と分離・給紙性能との関係については従来の技術で述べたとおりである。  
一般的に、標準紙、更紙を使用するときは、重送が発生しやすくこれを防止する点から、相対的に摩擦係数の高い標準のパッド１ａを備えた分離パッド１を設定する。一般的に、薄紙、厚紙、特殊（封筒）を使用するときは、重送を生じにくいが、薄紙ではシワを生じて不送りが、厚紙、特殊では紙剥けがそれぞれ発生しやすいので、相対的に摩擦係数の低い特殊のパッド２ａを備えた分離パッド２を設定する。なお、更紙であっても重送しにくく、紙の腰が弱いものがあり、その場合には薄紙と同等の対応が必要となることは言うまでもない。
【手続補正１１】
【補正対象書類名】明細書
【補正対象項目名】００９０
【補正方法】変更
【補正の内容】
【００９０】
ジャンプ板角度とは、排紙ジャンプ板角度の代用値で、表１では「上」と「下」の２つの角度に設定されることができ、標準紙では角度を大にして（上）にしてある程度きちんと用紙５６に腰付けをして排出してやる必要がある。これと同様に、更紙や薄紙の場合では角度を大にしてきちんと用紙５６に腰付けをして排出してやる必要があるが、厚紙や特殊（封筒）の場合には、用紙５６自体に腰があるために腰付けが不要であり、また腰付けできないので、角度を小（下）にする必要がある。
【手続補正１２】
【補正対象書類名】明細書
【補正対象項目名】０１０５
【補正方法】変更
【補正の内容】
【０１０５】
用紙５６の先端部のクランプ有無は、次のような不具合を防止するために行う。すなわち、用紙５６として通常の薄い標準紙等を用紙クランパ３０７でクランプする場合には特に問題は生じないが、用紙クランパ３０７のレイアウトが図１３に誇張して示されているような構造となっているため、画用紙やハガキ等の厚紙に印刷をする場合には、用紙クランパ３０７がかなり強力なものでないと、用紙５６の先端部を内側に曲げてクランプすることができず、用紙クランパ３０７の先端部を完全に閉じることができなくなってしまう。そうなると、圧胴３０６の外周面（図１３では一点鎖線で示されている）から浮いたままの用紙クランパ３０７の先端部が、印刷ドラム５１の外周面に巻かれた製版済みのマスタ５３に当たってしまい、毎回転ごとに同じ場所の製版済みのマスタ５３に当たるために、その部位の製版済みのマスタ５３が破れてしまう。このようにして製版済みのマスタ５３が破れると、印刷ドラム５１の外周面に供給されたインキが上記部位の破れからはみ出すことになり、はみ出したインキが用紙クランパ３０７を汚すことで、用紙５６の先端部を汚してしまう不具合になる。製版済みのマスタ５３が破れれば、そのマスタ５３が印刷のたびに印刷ドラム５１の回転方向の上流側に引っ張られるので、その破れた部分から破断して印刷ドラム５１の回転方向の上流側にずれてしまうトラブルにもなる。
【手続補正１３】
【補正対象書類名】明細書
【補正対象項目名】０１０８
【補正方法】変更
【補正の内容】
【０１０８】
圧胴３０６の右方には、図１に示したものと同様構成の給紙部２４０が配置されているが、レジストモータ８２Ａ周りの駆動機構を図１では省略したので、ここで説明する。レジストモータ８２Ａは、レジストモータ８２Ａの出力軸に設けられた駆動プーリ３２１と下側のレジストローラ８２の軸に設けられた従動プーリ３２２との間に掛け渡されたタイミングベルト３３３を介して、レジストローラ８２に連結されている。これにより、レジストローラ８２は、レジストモータ８２Ａの回転駆動によって、反時計回り方向に回転される。  
図１２に示すように、圧胴３０６における手前側の端板３１０の外側壁には、遮光板３１５と遮光板３１６とが圧胴３０６の半径方向および周方向に所定の間隔をおいてそれぞれネジで取り付けられている。一方、アーム３１２ａの内側壁には、圧胴３０６の半径方向に所定の間隔をおいて、フォトセンサ３１７およびフォトセンサ３１８がそれぞれネジで取り付けられている。フォトセンサ３１７およびフォトセンサ３１８は、透過型の光学センサである。
【手続補正１４】
【補正対象書類名】図面
【補正対象項目名】図６
【補正方法】変更
【補正の内容】
【図６】
2000247467.tif 000001
【手続補正１５】
【補正対象書類名】図面
【補正対象項目名】図９
【補正方法】変更
【補正の内容】
【図９】
2000247467.tif 000002